(57)【要約】【課題】スクラッチ籤で、個別情報と判定情報が印刷されている個別情報印刷物において、改ざんを困難にし、かつ判定情報が販売所等では容易に正確に検証することができ、消費者にはその内容すら全く判らない個別情報印刷物の提供にある。【解決手段】基材シート３０の片面に、個別情報１２が印刷されている複数の印刷枠１０と、これに隣接し、かつ連動してその当落等を表す判定情報２２が印刷されていて、これらを覆うようにスクラッチ隠蔽層３４が施されていて、前記個別情報１２は有色インキで印刷され、判定情報２２は透明性の蛍光インキで印刷されている個別情報印刷物１とするものである。【選択図】図３
2005313343.tif 000002
【特許請求の範囲】
【請求項１】
基材シートの片面に、個別情報が印刷されている複数の印刷枠と、前記個別情報の当落または等級等の少なくともいずれかを表す判定情報が印字されている判定部とを有する個別情報印刷物において、前記個別情報は前記個別情報印刷物ごとの個別の情報であり有色のインキで印刷され、判定情報は無色透明又は淡い色であって可視光以外の光の照射によって蛍光を発する蛍光インキで印字されていることを特徴とする個別情報印刷物。
【請求項２】
前記判定情報は、個別情報が印刷されている複数の印刷枠の近傍に設けられていることを特徴とする請求項１記載の個別情報印刷物。
【請求項３】
前記判定情報は、個別情報と該個別情報が印刷されている複数の印刷枠上に設けられていることを特徴とする請求項１記載の個別情報印刷物。
【請求項４】
前記印刷枠および判定部を覆うように易剥離層を介してスクラッチ隠蔽層が形成されていることを特徴とする請求項１乃至３のいずれかに記載の個別情報印刷物。
【請求項５】
前記判定情報は、潜像部と背景部を用いて形成されてあり、該潜像部と背景部はいずれも、幅とピッチが略１対１の万線パターンが印刷されており、両者の万線パターンの位相は略１／２ピッチ分ずれているが、パターンとその大きさおよびその向きは両者同様であることを特徴とする請求項１乃至４のいずれかに記載の個別情報印刷物。
【請求項６】
前記判定情報は、暗号化されていることを特徴とする請求項１乃至５のいずれかに記載の個別情報印刷物。
【請求項７】
前記判定情報を印刷する蛍光インキは、個別情報を印刷する有色インキと同一の印刷機で印刷可能な印刷特性をもつインキであることを特徴とする請求項１乃至６のいずれかに記載の個別情報印刷物。
【請求項８】
前記スクラッチ隠蔽層上に該スクラッチ隠蔽層を隠す白色の白色隠蔽層が、前記基材シートに部分的にまたは全面に設けてあり、そこの面上に印刷柄層が部分的にまたは全面に設けてあることを特徴とする請求項４乃至７のいずれかに記載の個別情報印刷物。
【発明の詳細な説明】
【技術分野】
【０００１】
本発明は、セキュリティ性の高い個別情報が印刷されている個別情報印刷物に関するものであり、特に抽せんや抽せん付ゲーム等における当選番号等個別情報やその個別情報の当落、等級等を表す判定情報の改ざん等を防止する個別情報印刷物に関する。
【背景技術】
【０００２】
従来、例えば当選番号あるいは「当たり」、「外れ」、それに相当する絵柄、暗号などの個別情報を、隠蔽性とスクラッチオフ性（引っ掻き落とし易さ）のインキで隠蔽したスクラッチ籤が知られ、インスタント抽せん券や抽せん付ゲームカードあるいはそれら印刷物などに広く採用されている。
【０００３】
しかし、上記スクラッチ籤など、当選番号やそれに相当するパターン等となる個別情報が印刷されている抽せん券等印刷物において、例えば図８（ａ）に示すように、３個の印刷枠（１０）内に個別情報（１２）としてそれぞれ「１」、「２」、「３」が順番に並ぶと当選するスクラッチ隠蔽層（図示せず）が施されている抽せん付印刷物（２）の場合、図８（ｂ）に示すような個別情報（１２）が「１」、「２」、「２」の順番に並ぶ外れ券である抽せん付印刷物（２）の右端の印刷枠（１０）内の「２」を含めて切り取り、これに図８（ｃ）に示すような個別情報（１２）が「３」、「２」、「２」の順番に並ぶ外れ券である抽せん付印刷物（２）の左端の印刷枠（１０）内の「３」を含めて切り取って、図１（ｂ）に示す外れ券である抽せん付印刷物（２）の右端の印刷枠（１０）内に貼り合せ、図８（ａ）に示すような個別情報（１２）が「１」、「２」、「３」が順番に並ぶと当選する当選券である抽せん付印刷物（２）に改ざんするという問題が多く発生するものであった。
【０００４】
このような改ざんによる偽造を防止するための１策として、例えば、図９（ａ）に示すように、個別情報（１２）としてそれぞれ「１」、「２」、「３」が印刷されている３個の印刷枠（１０）内で、その個別情報（１２）の下にランダムパターンでなる細紋パターン（１４）が印刷されている偽造防止策が施された可変情報印刷物（３）としたものである。
【０００５】
この場合の偽造防止策が施された可変情報印刷物（３）を改ざんしようとすると、例えば、図９（ａ）に示すように、３個の印刷枠（１０）内に個別情報（１２）としてそれぞれ「１」、「２」、「３」が順番に並ぶと当選する偽造防止策が施された可変情報印刷物（３）の場合、図９（ｂ）に示すような個別情報（１２）が「１」、「２」、「２」の順番に並ぶ外れ券である偽造防止策が施された可変情報印刷物（３）の右端の印刷枠（１０）内の「２」とその周囲の細紋パターン（１４）を含めて切り取り、これに図９（ｃ）に示すような可変情報データ（１２）が「３」、「２」、「２」の順番に並ぶ外れ券である偽造防止策が施された可変情報印刷物（３）の左端の印刷枠（１０）内の「３」とその周囲の細紋パターン（１４）を含めて切り取って、図９（ｂ）に示す外れ券である偽造防止策が施された可変情報印刷物（３）の右端の印刷枠（１０）内に貼り合せ、図９（ａ）に示すような個別情報（１２）が「１」、「２」、「３」が順番に並ぶ当選券である偽造防止策が施された可変情報印刷物（３）となるが、図９（ａ）に示す当選券であるはずの偽造防止策が施された可変情報印刷物（３）をよく観察すると、右端の印刷枠（１０）内にある図９（ｃ）の左端から切り取られ、貼り合わせた「３」でなる個別情報（１２）の周囲の細紋パターン（１４）とその外側の貼り合わされた細紋パターン（１４）に連続性がなく途切れているものであり、このような不連続性の細紋パターン（１４）により偽造と判定される偽造防止策が施された可変情報印刷物（３）となるものである。
【発明の開示】
【発明が解決しようとする課題】
【０００６】
しかしながら、上記印刷枠（１０）内に細紋パターン（１４）が施された偽造防止策が施された可変情報印刷物（３）においても、単純な細紋パターンの場合では、同一または極類似の細紋パターン（１４）が施された個別情報（１２）を切取り貼り替えることによって、細紋パターン（１４）の連続性のあるものとすることが可能であり、さらにまた、図示しないが細紋パターンが施されている印刷枠ごと切取って貼り替えるといった改ざんの危惧があり、完全な偽造防止策とはならないという問題点があった。
【０００７】
さらにまた、前記の個別情報（１２）を見なくても、当落や等級等が簡単に判る可変情報印刷物として、例えば図１０の正面図に示すように、個別情報（１２）が印刷され、その上にスクラッチ隠蔽層（３４）で覆われている複数の印刷枠（１０）に隣接して、スクラッチ隠蔽層（３４）で覆われていて、「当たり」「外れ」等の判定情報（２２）の印刷でなる判定部（２０）が設けられているスクラッチ籤としての個別情報印刷物（１）がある。
【０００８】
しかしながら、この判定部（２０）を隠蔽するスクラッチ隠蔽層（３４）上に白色の隠蔽層を設けて目視できないようにしたとしても、この判定部（２０）の存在を知ったものが、この判定部（２０）をスクラッチオフし、可変情報データ（１２）とともに改ざんして換金に来たり、あるいは判定情報（２２）を壊して判定困難にしてしまうという問題があった。
【０００９】
本発明は、かかる従来技術の問題点を解決するものであり、その課題とするところは、基材シート上に複数の印刷枠を有し、該印刷枠内にセキュリティ性の高い情報手段（抽選番号等）となる個別情報が印刷されている個別情報印刷物において、前記個別情報とその背景にあるパターン（細紋等）の貼り替えによる改ざん（贋造）を印刷枠内でも印刷枠ごとでも困難にし、かつこの個別情報の当落や等級等のいずれかを表す判定情報が、販売所等では容易に正確に検証することができ、たとえ消費者がこの判定情報の存在を知ったとしても、その内容が判らないようにして偽造、改ざんを防止した個別情報印刷物を提供することにある。
【課題を解決するための手段】
【００１０】
本発明に於いて上記課題を達成するために、まず請求項１の発明では、基材シートの片面に、個別情報が印刷されている複数の印刷枠と、前記個別情報の当落または等級等の少なくともいずれかを表す判定情報が印字されている判定部とを有する個別情報印刷物において、前記個別情報は前記個別情報印刷物ごとの個別の情報であり有色のインキで印刷され、判定情報は無色透明又は淡い色であって可視光以外の光の照射によって蛍光を発する蛍光インキで印字されていることを特徴とする個別情報印刷物としたものである。
【００１１】
また、請求項２の発明では、前記判定情報は、個別情報が印刷されている複数の印刷枠の近傍に設けられていることを特徴とする請求項１記載の個別情報印刷物としたものである。
【００１２】
また、請求項３の発明では、前記判定情報は、個別情報と該個別情報が印刷されている複数の印刷枠上に設けられていることを特徴とする請求項１記載の個別情報印刷物としたものである。
【００１３】
また、請求項４の発明では、前記印刷枠および判定部を覆うように易剥離層を介してスクラッチ隠蔽層が形成されていることを特徴とする請求項１乃至３のいずれかに記載の個
別情報印刷物としたものである。
【００１４】
また、請求項５の発明では、前記判定情報は、潜像部と背景部を用いて形成されてあり、該潜像部と背景部はいずれも、幅とピッチが略１対１の万線パターンが印刷されており、両者の万線パターンの位相は略１／２ピッチ分ずれているが、パターンとその大きさおよびその向きは両者同様であることを特徴とする請求項１乃至４のいずれかに記載の個別情報印刷物としたものである。
【００１５】
また、請求項６の発明では、前記判定情報は、暗号化されていることを特徴とする請求項１乃至５のいずれかに記載の個別情報印刷物としたものである。
【００１６】
また、請求項７の発明では、前記判定情報を印刷する蛍光インキは、個別情報を印刷する有色インキと同一の印刷機で印刷可能な印刷特性をもつインキであることを特徴とする請求項１乃至６のいずれかに記載の個別情報印刷物としたものである。
【００１７】
また、請求項８の発明では、前記スクラッチ隠蔽層上に該スクラッチ隠蔽層を隠す白色の白色隠蔽層が、前記基材シートに部分的にまたは全面に設けてあり、そこの面上に印刷柄層が部分的にまたは全面に設けてあることを特徴とする請求項４乃至７のいずれかに記載の個別情報印刷物としたものである。
【発明の効果】
【００１８】
本発明は以上の構成であるから、下記に示す如き効果がある。
【００１９】
即ち、上記請求項１に係る発明によれば、基材シートの片面に、個別情報が印刷されている複数の印刷枠と、前記個別情報の当落または等級等の少なくともいずれかを表す判定情報が印字されている判定部とを有する個別情報印刷物において、前記判定情報を無色透明又は淡い色でなり可視光以外の光の照射によって蛍光を発する蛍光インキで印刷されているものとすることによって、たとえ、個別情報がその背景にあるパターン（細紋等）とともに改ざん（贋造）されたとしても、判定部は透明な蛍光インキでなるので視認できず、販売所等では、例えば専用のブラックランプ付判定機で紫外線を照射することにより、判定情報が可視化されて容易に確実に検証することができ、換金等の間違いや誤払いの低減に有効な個別情報印刷物とすることができる。
【００２０】
また、上記請求項２に係る発明によれば、前記無色透明又は淡い色で可視光以外の光の照射で発光する蛍光インキでなる判定情報は、個別情報が印刷されている複数の印刷枠の近傍に設けられているので、たとえ、個別情報がその背景にあるパターン（細紋等）とともに改ざん（贋造）されたとしても、印刷枠の近傍の無色透明又はそれに近い蛍光インキでなる判定情報には気が付かず、これに対し、販売所等では、例えば専用のブラックランプ付判定機で紫外線を照射することにより、判定情報が可視化されて容易に確実に検証することができ、換金等の間違いや誤払いの低減に有効な個別情報印刷物とすることができる。
【００２１】
また、上記請求項３に係る発明によれば、前記無色透明又は淡い色で可視光以外の光の照射で発光する蛍光インキでなる判定情報は、個別情報と該個別情報が印刷されている複数の印刷枠上に設けられているので、たとえ、個別情報がその背景にあるパターン（細紋等）とともに改ざん（贋造）されたとしても、この個別情報や印刷枠の上にある無色透明又はそれに近い蛍光インキでなる判定情報をも破壊されてしまうので、販売所等で、例えば専用のブラックランプ付判定機で紫外線を照射することにより、判定情報が壊れた状態で可視化されているので、容易にその不正を検証することができ、換金等の間違いや誤払いの低減化に有効な個別情報印刷物とすることができる。
【００２２】
また、上記請求項４に係る発明によれば、前記個別情報と該個別情報が印刷されている複数の印刷枠および判定情報が印刷されている判定部とを覆うように易剥離層を介してスクラッチ隠蔽層が形成されているので、このスクラッチ隠蔽層をスクラッチオフして個別情報を視認するスクラッチ籤として楽しむことができ、スクラッチ後、たとえ、個別情報がその背景にあるパターン（細紋等）とともに改ざん（贋造）されたとしても、この個別情報が印字されている複数の印刷枠の近傍にある判定部には気付かず、あるいはこの個別情報や印刷枠の上にある蛍光インキでなる判定情報をも破壊されてしまうので、販売所等で専用のブラックランプ付判定機では容易にその不正を検証することができ、換金等の間違いや誤払いの低減化に有効な、さらに消費者が判定部の存在に気付き、この部分をスクラッチオフしても判定情報の印刷内容が視認できないので当落等が判らず、かつこの判定の仕組み自体が不明なので可変情報データの改ざんとともに判定部を意図的に壊すという行為も起こらない個別情報印刷物とすることができる。
【００２３】
また、上記請求項５に係る発明によれば、前記判定部内の判定情報を、潜像部と背景部を用いて形成されてあり、該潜像部と背景部はいずれも、幅とピッチが略１対１の万線パターンが印刷されており、両者の万線パターンの位相は略１／２ピッチ分ずれているが、パターンとその大きさおよびその向きは両者同様である画像、いわゆる万線モアレ像で形成されているものとするこによって、消費者が、たとえ判定情報が蛍光インキで印刷されているという仕組みをも知ったうえで、ブラックランプを照射してもその内容が全くわからず、よって改ざんや意図的に壊すという行為も起こらず、よりセキュリティの高い個別情報印刷物とすることができる。
【００２４】
さらに一方で、販売所等側では、この画像（万線モアレ像）に、この万線パターンと略同形状（幅とピッチ）の万線フィルムを、これら万線パターンの延びる方向と同方向に重ね合わせ、その上から専用のブラックランプ付判定機を用いて紫外線を照射すると、この画像の背景部が隠され、潜像部が蛍光を発して判定情報として浮かび上がるので、容易に確実に判定情報を検証できる個別情報印刷物とすることができる。
【００２５】
また、上記請求項６に係る発明によれば、上記判定情報を、乱数表などによる暗号化することによって、消費者等第３者がブラックランプを照射しても、その内容が全くわからず、よって改ざんや意図的に壊すという行為も起こらず、当落、等級等のセキュリティ性をより高めた個別情報印刷物とすることができる。
【００２６】
また、上記請求項７に係る発明によれば、上記個別情報を印刷する有色インキと判定情報を印刷する透明性を有する蛍光インキとを、同一の印刷機、例えばインクジェットプリンターやレーザープリンター（電子写真方式）で印刷可能なインクジェット用インキや電子写真用トナーとすることによって、個別情報と判定情報とを同一の印刷機で同時に印刷することができ、両情報の不一致による不具合がなくなるというメリットを有する個別情報印刷物とすることができる。
【００２７】
さらにまた、上記請求項８に係る発明によれば、前記スクラッチ隠蔽層上に該スクラッチ隠蔽層を隠す白色の白色隠蔽層を、前記基材シートに部分的にまたは全面に設けてあり、そこの面上に印刷柄層を部分的にまたは全面に設けてあることによって、消費者には判定部のスクラッチ隠蔽層の存在すら判らないようにし、かつこの印刷物のデザイン性を向上させた個別情報印刷物を提供できる効果がある。なおこの白色隠蔽層は、全面である方がスクラッチ隠蔽層の存在を示唆し難い効果をより強く与えやすいので、部分的よりも一般的に好ましい。
【００２８】
従って本発明は、例えば抽選番号あるいはゲーム等の如き個別（機密）情報をスクラッ
チ隠蔽層で隠蔽されているスクラッチ印刷物の如き用途において、優れた実用上の効果を発揮する。
【発明を実施するための最良の形態】
【００２９】
以下本発明を実施するための最良の形態を図面を用いて詳細に説明する。
【００３０】
図１は、本発明の可変情報印刷物の一事例を表す上面図およびその断面図であり、図２は、本発明の個別情報印刷物の他の一事例を表す断面図である。また、図３および図４は、本発明の個別情報印刷物の他の一事例を表す上面図およびその断面図であり、図５および図６は、本発明の個別情報印刷物の一事例を使用した時の側断面を表す説明図である。また、図７および図８は、本発明の個別情報印刷物の一事例を改ざんした一実施の形態を示す上面図であり、図９〜１０は、本発明の個別情報印刷物を構成する判定情報の形状の一事例を示す模式図である。
【００３１】
上記本発明は、セキュリティ性の高い個別（機密）情報が印刷されている個別情報印刷物に関するもので、その一事例として、例えば図３（ａ）の上面図およびそのＢ−Ｂ面を表す図３（ｂ）の断面図に示すように、基材シート（３０）上に、複数の印刷枠（１０）と、それに隣接する判定部（２０）とでなり、この印刷枠（１０）内には、個別情報（１０）が印刷されていて、判定部（２０）内には、前記個別情報（１２）の当落や等級等を表す判定情報（２２）が印刷されていて、これら個別情報（１０）を含む印刷枠（１０）および判定部（２０）上に易剥離層（３２）を介してスクラッチ隠蔽層（３４）が施されているスクラッチ籤としての個別情報印刷物（１）であり、この個別情報（１０）はスクラッチ隠蔽層（３４）をスクラッチオフしないと視認できないようになっている。また、この印刷枠（１０）の近傍にある判定部（２０）は、この上に易剥離層（３２）を介してスクラッチ隠蔽層（３４）が施されているもので、消費者にはこの判定情報（２２）が視認できないようになっている。
【００３２】
そこでまず、上記請求項１および２に係る発明では、例えば図１（ａ）の上面図およびそのＢ−Ｂ面を表す図１（ｂ）の断面図に示すように、基材シート（３０）上に、インキ受理層（３１）が施され、その上に複数の印刷枠（１０）と、その中に細紋パターン（１４）が施されていて、この細紋パターン（１４）上にインキジェットプリンターによりインキジェット用の有色インキで、個別情報（１２）として「１」、「２」、「３」が印刷されている。
【００３３】
さらに、上記複数の印刷枠（１０）の下部には、判定部（２０）が設けられ、この中に印刷枠（１０）内の個別情報（１２）の当落を表す判定情報（２２）として「当たり」がインキジェットプリンターにより無色透明の蛍光インキで印字されている個別情報印刷物（１）である。
【００３４】
上記請求項１および２に係る発明の個別情報印刷物（１）を購入した消費者は、印字枠（１０）内の個別情報（１２）にまつわる当落等ゲームを楽しんだ後、この個別情報（１２）の当落等の検証のため、これを販売所等に持ち込むと、販売所等側では、無色透明の蛍光インキでなる判定情報（２２）（目視は不可）の上から、例えば図５（ｃ）の上面図に示すように、ブラックランプ（７０）付検証機の紫外線で照射すると、判定情報（２２）が蛍光を発し、判定部（２０）内に判定情報（２２）が「当たり」として現れるので、この個別情報印刷物（１）の判定（検証）を正確に判読・検証することができ、この判定情報（２２）の「当たり」に従い換金等を受けるシステムとするものである。
【００３５】
このように上記請求項１および２に係る発明によれば、例えば図１（ａ）に示すような３個の印刷枠（１０）内に個別情報（１２）としてそれぞれ「１」、「２」、「３」が順
番に並ぶと「当たり」とする個別情報印刷物（１）の場合、例えば図７（ｂ）に示すような個別情報（１２）が「１」、「２」、「２」の順番に並ぶ「外れ」券である個別情報印刷物（１）の右端の印刷枠（１０）ごと個別情報（１２）の「２」とその周囲の細紋パターン（１４）を含めて切り取り、この「外れ」券に、例えば図７（ｃ）に示すような個別情報（１２）が「３」、「２」、「２」の順番に並ぶ「外れ」券である個別情報印刷物（１）の左端の印刷枠（１０）ごと個別情報（１２）の「３」とその周囲の細紋パターン（１４）を含めて切り取って、図７（ｂ）に示すような「外れ」券である個別情報印刷物（１）の右端の印刷枠（１０）内に貼り合せて、図７（ａ）に示すような個別情報（１２）が「１」、「２」、「３」が順番に並ぶように改ざんした個別情報印刷物（１）とすると、この改ざんされた図７（ａ）に示す個別情報印刷物（１）を販売所に持ち込み、「当たり」であるはずとして換金しようとすると、販売所側では、その上からブラックランプ（７０）付検証機の紫外線で照射すると、判定データ（２２）が蛍光を発し、判定部（２０）内に「外れ」という判定情報（２２）が浮かび上がるので、改ざんという不正行為が検証されることになる。
【００３６】
また、上記請求項３に係る発明は、例えば図２（ａ）の上面図およびそのＢ−Ｂ面を表す図１（ｂ）の断面図に示すように、基材シート（３０）上に、インキ受理層（３１）が施され、その上に複数の印刷枠（１０）と、その中に細紋パターン（１４）が施されていて、この細紋パターン（１４）上にインキジェットプリンターにより有色インキで、個別情報（１２）が印刷されている。
【００３７】
上記複数の印刷枠（１０）とその中の細紋パターン（１４）、個別情報（１２）上に、判定部（２０）が設けられ、この中に個別情報（１２）の当落を表す判定情報（２２）がインキジェットプリンターにより無色透明の蛍光インキで印字されている個別情報印刷物（１）である。
【００３８】
上記請求項３に係る発明の個別情報印刷物（１）の場合の換金システム等は、上記請求項１および２の個別情報印刷物の場合と同様であるが、例えば、外れ券から個別情報とその背景にあるパターン（細紋等）で構成されている印刷枠ごと切り取って他の外れ券にその印刷枠ごと貼り合わせて改ざんされた場合でも、印刷枠内の個別情報の上に設けられた判定情報も、無色透明な蛍光インキで印刷されていて目視できないため同時に破壊され、この改ざんされた個別情報印刷物を、販売所に持ち込み判定を依頼すると、販売所等では、ブラックランプ付判定機でその不正行為を容易に検証することができるようにしたものである。
【００３９】
また、上記請求項４に係る発明は、例えば図３（ａ）の上面図およびそのＢ−Ｂ面を表す図３（ｂ）の断面図に示すように、基材シート（３０）上に、インキ受理層（３１）が施されていて、その上に複数の印刷枠（１０）と、その下部に隣接する判定部（２０）とが設けられ、この印刷枠（１０）内には、細紋パターン（１４）が設けられ、その上に個別情報（１０）が有色インキ、好ましくは黒色系のインクジェット用インキで印刷されていて、判定部（２０）内には、前記個別情報（１２）の当落や等級等を表す判定情報（２２）が無色透明なインクジェット用の蛍光インキで印刷されていて、これら個別情報（１０）を含む印刷枠（１０）および判定部（２０）上には、易剥離層（３２）を介してスクラッチ隠蔽層（３４）が形成されているスクラッチ籤としての個別情報印刷物（１）である。
【００４０】
この個別情報（１０）はスクラッチ隠蔽層（３４）をスクラッチオフしないと視認できないようになっているスクラッチ籤の一種である。また、この印刷枠（１０）の近傍にある判定部（２０）は、この上に易剥離層（３２）を介してスクラッチ隠蔽層（３４）が形成されているもので、消費者には、この判定情報（２２）は視認できないようになってい
る。
【００４１】
上記請求項４に係る発明の個別情報印刷物（１）を購入した消費者が、当選番号等の個別情報（１２）が印刷されている印刷枠（１０）を覆っているスクラッチ隠蔽層（３４）をコイン等でスクラッチオフすると、例えば図５（ａ）の側断面図に示すように、透明な易剥離層（３２）を通して有色の個別情報（１０）が現れ、この個別情報（１０）にまつわるゲーム等を楽しんだ後、この個別情報（１０）の当落や等級等の検証を販売所等に持ち込むと、販売所等側では、図５（ｂ）の側断面図に示すように、判定部（２０）を覆っているスクラッチ隠蔽層をスクラッチオフし、透明な易剥離層（３２）を通して無色透明性の蛍光インキでなる判定情報（２２）が現れ（目視は不可）、その上から、例えば図５（ｃ）の上面図に示すように、ブラックランプ（７０）付検証機の紫外線で照射すると、判定情報（２２）を形成する蛍光インキが蛍光を発し、判定部（２０）内に透明な易剥離層（３２）を通して「当たり」として現れるので、この個別情報印刷物（１）の判定（検証）を正確に判読・検証することができるもので、この判定情報（２２）の「当たり」に従い換金等を受けるスクラッチ籤類のシステムとするものである。
【００４２】
このように上記請求項４に係る発明によれば、例えば図３（ａ）に示すようなスクラッチ隠蔽層（３４）に覆われている３個の印刷枠（１０）内に個別情報（１２）としてそれぞれ「１」、「２」、「３」が順番に並ぶと「当たり」とする個別情報印刷物（１）の場合、図８（ｂ）に示すように、スクラッチ隠蔽層（３４）に覆われている個別情報（１２）が「１」、「２」、「２」の順番に並ぶ「外れ」券である個別情報印刷物（１）のスクラッチ隠蔽層（３４）をスクラッチオフした後、その右端の印刷枠（１０）ごと個別情報（１２）の「２」とその周囲の細紋パターン（１４）を含めて切り取り、これに図８（ｃ）に示すように、個別情報（１２）が「３」、「２」、「２」の順番に並ぶ「外れ」券である個別情報印刷物（１）のスクラッチ隠蔽層（３４）をスクラッチオフした後、その左端の印刷枠（１０）ごと個別情報（１２）の「３」とその周囲の細紋パターン（１４）を含めて切り取って、図８（ｂ）に示すような「外れ」券である個別情報印刷物（１）の右端の印刷枠（１０）内に貼り合せ、図８（ａ）に示すような個別情報（１２）が「１」、「２」、「３」が順番に並ぶように改ざんした個別情報印刷物（１）とする。
【００４３】
この改ざんされた可変情報印刷物（１）を当たり券のはずとして販売所に持ち込み、換金しようとすると、販売所側では、判定部（２０）上のスクラッチ隠蔽層（３４）をスクラッチオフし、その上からブラックランプ（７０）付検証機の紫外線で照射すると、無色透明な蛍光インキでなる「外れ」という判定情報（２２）が蛍光に発光して浮かび上がるので、改ざんという不正行為が検証されることになるものである。
【００４４】
また、上記請求項４に係る発明として、例えば、図４（ａ）の上面図およびそのＢ−Ｂ面を表す図４（ｂ）の断面図に示すように、基材シート（３０）上にインキ受理層（３１）を形成し、その上に複数の印刷枠（１０）と、その上の判定部（２０）とでなり、この印刷枠（１０）内には、個別情報（１２）が印刷されていて、また判定部（２０）内には、前記個別情報（１２）の当落や等級等を表す判定情報（２２）が印字されていて、これら個別情報（１２）を含む印刷枠（１０）および判定部（２０）上に易剥離層（３２）を介してスクラッチ隠蔽層（３４）が施されている個別情報印刷物（１）とすることもできる。
【００４５】
上記請求項４に係る発明の個別情報印刷物（１）を購入した消費者が、当選番号等の個別情報（１２）が印刷されている印刷枠（１０）を覆っているスクラッチ隠蔽層（３４）をコイン等でスクラッチオフすると、例えば図６（ａ）の側断面図に示すように、透明な易剥離層（３２）を通してインクジェット用の有色インキでなる個別情報（１０）が現れ、この個別情報（１０）にまつわるゲーム等を楽しんだ後、この個別情報（１０）の当落
や等級等の検証を販売所等に持ち込み、販売所等側では、既にスクラッチオフされたこの個別情報印刷物（１）を、例えば図６（ｂ）の上面図に示すように、ブラックランプ（７０）付検証機の紫外線で照射すると、無色透明な蛍光インキが蛍光に発光し、判定データ（２２）が「当たり」として透明な易剥離層（３２）を通して個別情報（１０）上に現れ、この個別情報印刷物（１）の判定を正確に判読・検証され、その判定情報（２２）の「当たり」に従い換金等を受けるシステムとするものである。
【００４６】
このように上記請求項４に係る発明によれば、図示しないが、例えば、外れ券から個別情報とその背景にあるパターン（細紋等）で構成されている印刷枠ごと切り取って他の外れ券にその印刷枠ごと貼り合わせて改ざんされた場合でも、印刷枠内の個別情報の上に形成された判定情報も、無色透明又は淡い色の蛍光インキで印字されていて殆ど目視できないようになっているため、この切り取り貼り合わせの改ざんと同時に破壊され、この改ざんされた個別情報印刷物を、販売所に持ち込み、当たりであるはずとその判定を依頼すると、販売所側等では、ブラックランプ付判定機でその不正行為を容易に検証することができる。
【００４７】
また、上記請求項５に係る発明は、例えば図９（ａ）およびその拡大図である図９（ｂ）に示すように、判定情報（２２）として蛍光インキでその内部に印字される判定部（２０）は、潜像部（４０）と背景部（４２）とでなり、この判定部（２０）内の判定データ（２２）は、幅とピッチが略１対１の万線パターンでなる「ハート型」の潜像部（４０）で形成され、この潜像部（４０）の背景にある背景部（４２）は、潜像部（４０）と同一形状で、かつその延びる方向が同一の万線パターンでなり、この潜像部（４０）を構成する万線パターンと背景部（４２）を構成する万線パターンの位相が１／２ピッチ分ずれている比較的単純な「万線モアレ像」とした個別情報印刷物である。
【００４８】
この判定部（２０）内の判定情報（２２）を検証するには、販売所等において、スクラッチ隠蔽層をスクラッチオフ後、図１０（ａ）に示すように、この判定部（２０）の潜像部（４０）と背景部（４２）でなる万線モアレ像に、これらを構成する万線パターンと略同形状（幅とピッチ）の万線フィルム（４４）を、これら万線パターンの延びる方向と同方向に重ね合わせると、背景部（４２）は万線フィルム（４４）で覆われて隠され、潜像部（４０）のみが万線フィルム（４４）の間から蛍光を発して現れるようになるもので、図１０（ｂ）に示すように、その上から専用のブラックランプ（７０）付判定機を用いて紫外線を照射すると、潜像部（４０）が「ハート型」の判定情報（２２）として浮かび上がるようになる。
【００４９】
また、図１０（ａ）に示す万線フィルム（４４）を、それより１／２ピッチずらして重ね合わせると、図１０（ｃ）に示すように、その上から専用のブラックランプ（７０）付判定機を用いて紫外線を照射すると背景部（４２）のみが蛍光を発して現れ、潜像部（４０）は、白抜け状の画像として浮かび上がらせることもできる。
【００５０】
上記比較的単純な「万線モアレ像」に対し、さらに複雑にして偽造を防止することもでき、図示しないが、例えば本発明の出願人が提案している特開２００１−２１３０４２号公報に示すように、万線を異なる万線角度にて配置した２乃至数種類の万線パターンが背景部として形成され、これら万線パターンに対して万線位相を１／２ピッチ分ずらして形成した潜像部とでなるものがあり、この潜像部の顕像化には、それぞれの角度で万線フィルムを重ね合わせるという複雑なものとすることもできる。
【００５１】
このように、判定部（２０）を「万線モアレ像」とすることによって、消費者等第３者が、たとえこの判定情報（２２）が蛍光インキで印字されているという仕組みをも知ったうえで、スクラッチオフ後、これにブラックランプを照射したとしても、その内容が全く
判らないものとなり、よってよりセキュリティの高い個別情報印刷物（１）とすることができる。
【００５２】
また、上記請求項６に係る発明は、例えば図５（ｃ）に示すような判定部（２０）内の蛍光インキでなる判定情報（２２）としての「当たり」を暗号化して、例えば図９（ａ）に示すように、万線モアレ像の潜像部（４０）を形成する「ハート型」としたり、あるいは図示しないが、さらに乱数表などによる暗号化し、「ＤＤＡ」「５８２」としたりするもので、たとえ消費者等第３者が、ブラックランプを照射しても、その内容が全く判らず、よって改ざんや意図的に壊すという行為も起こらず、偽造（改ざん等）防止性とセキュリティ性をより高めた個別情報印刷物（１）とすることもできるものである。
【００５３】
また、上記請求項７に係る発明は、例えば図３（ｃ）に示すように、印刷枠（１４）内の個別情報（１２）を印字する有色インキと、判定部（２０）を構成する判定データ（２２）を印字する無色透明な蛍光インキとを、同一のインクジェットプリンター（但し両データ（１２，２２）専用のノズル部を必要とする）で印字可能なインクジェット用インキとすることを特徴とする個別情報印刷物（１）である。
【００５４】
上記事例では、個別情報（１２）と判定情報（２２）の印刷にインクジェットプリンターを用いたが、これに代え、例えばレーザー光による印字即ち電子（写真）式トナー（インキ）の転写方式で有色の個別情報（１２）と無色透明な蛍光トナー（インキ）でなる判定情報（２２）とすることもできる。この場合、両データ（１２，２２）専用の転写ドラムを必要とする。
【００５５】
さらに上記インクジェットプリンター、電子式トナーの転写方式のレーザープリンターの他に、例えばサーマルヘッドによる感熱リボン転写方式、ドットインパクト方式などが挙げられ、これらいずれの方式でも、個別情報（１２）を印字する有色インキと、判定情報（２２）を印字する蛍光インキを用いたリボンが利用される。
【００５６】
このように、同一のプリンター等印字方式で用いることのできるインキとすることによって、有色の個別情報（１２）と蛍光を発する判定情報（２２）とを同一のプリンターで同時に印刷することができ、よって、人手による両情報（１２、２２）の不一致という不具合（トラブル等）をなくすことができる。
【００５７】
さらにまた、上記請求項８に係る発明は、図３（ｂ）、および図４（ｂ）に示すように、印刷枠（１０）内の個別情報（１２）および判定部（２０）を構成する判定情報（２２）上のスクラッチ隠蔽層（３４）を覆うように、全面に白色隠蔽層（３７）を施し、その上に印刷柄層（３８）を施した個別情報印刷物（１）とするものである。
【００５８】
このように、印刷枠（１０）および判定部（２０）のスクラッチ隠蔽層（３４）上に白色隠蔽層（３７）を施すことによって、消費者には、印刷枠（１０）を覆っているスクラッチ隠蔽層（３４）の存在は、印刷等でスクラッチオフを指示するが、少なくとも判定データ（２２）が印刷されている判定部（２０）のスクラッチ隠蔽層（３４）の存在すら判らないようにするとともに、この白色隠蔽層（３７）によって、この上に印刷等で例えば、このスクラッチ籤等の内容や絵柄等の印刷柄層（３８）を施すことができ、この個別情報印刷物（１）のデザイン性をも向上させたものとすることもできる。
【００５９】
上記本発明の個別情報印刷物（１）の構成とその材料等を、さらに詳しく説明すると、例えば図３（ｂ）に示すように、坪量１５０〜２００ｇ／ｍ２  程度の上質紙を基材シート（３０）とし、その表面には多孔質の体質顔料を主体とした白色のインキ受理層（３１）が塗布されている。
【００６０】
上記インキ受理層（３１）を生成する多孔質の体質顔料としては、例えば、アルミナ白、タルク、炭酸カルシウム、硫酸バリウム、硫酸カルシウム、ケイソウ土、ケイ酸カルシウムなどの白色顔料が挙げられ、これら体質顔料１０〜２５重量％を、例えばオフセット用メジウム（ロジン変性フェノール樹脂、大豆油、亜麻仁油、鉱物油等ビヒクルにドライヤーや酸化抑制剤等の添加剤でなる）に分散させたオフセットインキで印刷し、厚さ１〜５μｍ程度のインキ受理層（３１）とすることができる。上記オフセット用メジウムに代え、グラビア用メジウム、あるいはスクリーン印刷用、ロールコート用等とし、それぞれの方式で印刷または塗工することもできる。
【００６１】
このインキ受理層（３１）上の印刷枠（１０）に相当する箇所にインクジェット方式により、この籤などに従った個別情報（１２）が、有色のインキ、例えば、有色顔料５〜１５％程度を１リットルの水とエマルジョン樹脂でなる溶媒に分散させた水性のインクジェット用インキで印字され、同時にインキ受理層（３１）上の判定部（２０）に相当するヶ所に、前記の可変情報データ（１２）用と同方式の有機蛍光顔料を色材とした水性のインクジェット用インキにて、この個別情報（１２）に連動した当落等を表す判定情報（２２）が印刷される。
【００６２】
上記インクジェット用インキは、油性であっても構わないが、ノズルの詰まり等に対する安定性等から、水性が好ましい。この水性のインクジェット用インキを構成する有色顔料としては、水と親和性のよいものが好ましく、具体的には、可変情報データ（１２）用の黒色用として、例えばファーネスブラック、アセチレンブラック等カーボンブラックやアニリンブラック等有機顔料が挙げられ、他の各色用として、例えばピグメントイエロー、ジアゾイエロー（以上黄色用）、ブリリアントカーミン６Ｂ、キクナクリドンマゼンタ（以上マゼンタ用）、フタロシアニンブルーＧ、Ｅ（以上シアン用）等およびこれら混合が挙げられ、これら顔料の粒径は、ノズルの詰まり防止、着色性やインキの経時的な分散安定性から小さい方が好ましく、平均粒径が１０ｎｍ〜２００ｎｍ、最大粒径が５００ｎｍ以下のものが好ましく用いられる。
【００６３】
また、上記判定情報（２２）の印刷に使用するインクジェット用インキを構成する蛍光顔料としては、蛍光染料と合成樹脂固溶体でなる顔料を用い、その蛍光染料には、昼光下では淡い黄色を、ブラックランプ（７０）下では緑から黄緑色を呈するブリリアントスルホフラビンＦＦ、チオフラビン、ベーシックイエローあるいはフルオレセインなどが挙げられ、これら顔料１〜１０％程度を１リットルの水とエマルジョン樹脂でなる溶媒に分散させた水性のインクジェット用蛍光インキが好適に用いられる。
【００６４】
また、上記インクジェット用インキを構成するエマルジョン樹脂としては、例えばポリアクリル酸エステル、ポリメタアクリル酸エステル、スチレン−ブタジエン共重合体、クロロプレン共重合体、フェノール樹脂、ポリビニルアルコール等数多くの樹脂が挙げられ、上記有色顔料や蛍光顔料等の基材（ここではインキ受理層（３１）に相当）に対する結着材の役割も果たすものである。
【００６５】
また、個別情報（１２）および判定情報（２２）を覆うように、例えばポリウレタンアクリル樹脂にシリコンを５％程度添加した剥離ニスをグラビア方式等で塗布して厚さ３〜１０μｍの易剥離層（３２）を形成し、さらにその上に、ＳＢＲ樹脂にアルミニウム粉末を添加したスクラッチインキをスクリーン印刷方式で厚さ３〜１０μｍのスクラッチ隠蔽層（３４）が形成される。
【００６６】
続いて、上記で得られたスクラッチ隠蔽層（３４）上の全面にチタン白を主体とする顔料でなる白色インキをオフセット印刷あるいはグラビア印刷方式で白色隠蔽層（３７）を
施し、その上にオフセット印刷等で印刷柄層（３８）が形成された可変情報印刷物（１）とするものである。
【００６７】
上記のようなスクラッチ籤の個別情報印刷物（１）を購入した消費者は、例えば図５（ａ）に示すように、このスクラッチ籤のメッセージ（印刷枠（１０）のヶ所をスクラッチオフすること）に従い、コイン等でスクラッチオフすると、印字枠（１０）のスクラッチ隠蔽層（３４）とともに白色隠蔽層（３７）と印刷柄層（３８）が剥がされて、透明な易剥離層（３２）を通して可変情報データ（１２）が視認できるようになる。
【００６８】
また、例えば消費者が、この下部に隣接している判定部（２０）に気がついて、図５（ｂ）に示すように、この判定部（２０）をスクラッチオフしても、判定情報（２２）が無色または淡い色で透明性の高い蛍光インキで印字され、しかも暗号化や万線モアレ像とまでされているので視認は不可能で、かつその存在すら判らないようになっているものであり、たとえ蛍光インキに気がついたとしてもその内容が全く判らない個別情報印刷物（１）とするものである。
【図面の簡単な説明】
【００６９】
【図１】本発明の個別情報印刷物の一実施の形態を示すもので、（ａ）は、その正面図であり、（ｂ）は、そのＢ−Ｂ面を表す側断面図である。
【図２】本発明の個別情報印刷物の他の一実施の形態を示すすもので、（ａ）は、その正面図であり、（ｂ）は、そのＢ−Ｂ面を表す側断面図である。
【図３】本発明の個別情報印刷物のスクラッチ籤類としての一実施の形態を示すもので、（ａ）は、その正面図であり、（ｂ）は、そのＢ−Ｂ面を表す側断面図である。
【図４】本発明の個別情報印刷物のスクラッチ籤類としての他の一実施の形態を示すもので、（ａ）は、その正面図であり、（ｂ）は、そのＢ−Ｂ面を表す側断面図である。
【図５】本発明の個別情報印刷物の一事例の使用中を説明するものであり、（ａ）は、消費者がスクラッチオフした時の側断面図であり、（ｂ）は、販売所等で判定する時の側断面図であり、（ｃ）は、（ｂ）の上面図である。
【図６】本発明の個別情報印刷物の他の一事例の使用中を説明するものであり、（ａ）は、消費者がスクラッチオフした時の側断面図であり、（ｂ）は、販売所等で判定する時の上面図である。
【図７】本発明の個別情報印刷物の一事例を説明するもので、（ａ）は、改ざんされた印刷物の正面図であり、（ｂ）は、改ざんされる印刷物の正面図であり、（ｃ）は、改ざんに使用する印刷物の正面図である。
【図８】本発明の個別情報印刷物のスクラッチ籤類としての一事例を説明するもので、（ａ）は、改ざんされた印刷物の正面図であり、（ｂ）は、改ざんされる印刷物の正面図であり、（ｃ）は、改ざんに使用する印刷物の正面図である。
【図９】本発明の個別情報印刷物を構成する判定データの一事例を示すもので、（ａ）は、万線モアレ像の正面図であり、（ｂ）は、（ａ）に示すＡ部の部分拡大図である。
【図１０】本発明の個別情報印刷物を構成する判定データの一事例を示すもので、（ａ）は、図９（ｂ）に示す万線モアレ像に万線フィルムを重ね合わせた一事例を示す正面図であり、（ｂ）は、（ａ）で浮かび上がった潜像部の一事例を示す正面図であり、（ｃ）は、（ａ）で浮かび上がった潜像部の他の一事例を示す正面図である。
【図１１】従来の抽選付印刷物の一事例を説明するもので、（ａ）は、改ざんされた印刷物の正面図であり、（ｂ）は、改ざんされる印刷物の正面図であり、（ｃ）は、改ざんに使用する印刷物の正面図である。
【図１２】従来の個別情報印刷物の一事例を説明するもので、（ａ）は、改ざんされた印刷物の正面図であり、（ｂ）は、改ざんされる印刷物の正面図であり、（ｃ）は、改ざんに使用する印刷物の正面図である。
【図１３】従来のスクラッチ籤類としての可変情報印刷物の当たり券の一事例を説明する正面図である。
【符号の説明】
【００７０】
１‥‥個別情報印刷物
２‥‥抽選付印刷物
３‥‥偽造防止策が施された可変情報印刷物
１０‥‥印刷枠
１２‥‥個別情報
１４‥‥細紋パターン
２０‥‥判定部
２２‥‥判定情報
３０‥‥基材シート
３１‥‥インキ受理層
３２‥‥易剥離層
３４‥‥スクラッチ隠蔽層
３７‥‥白色隠蔽層
３８‥‥印刷柄層
４０‥‥潜像部
４２‥‥背景部
４４‥‥万線フィルム
７０‥‥ブラックランプ
【図１】
2005313343.tif 000003
【図２】
2005313343.tif 000004
【図３】
2005313343.tif 000005
【図４】
2005313343.tif 000006
【図５】
2005313343.tif 000007
【図６】
2005313343.tif 000008
【図７】
2005313343.tif 000009
【図８】
2005313343.tif 000010
【図９】
2005313343.tif 000011
【図１０】
2005313343.tif 000012
【図１１】
2005313343.tif 000013
【図１２】
2005313343.tif 000014
【図１３】
2005313343.tif 000015